(57)【要約】【課題】  鼻孔及び鼻中隔にフィットし、インフルエンザ及び花粉症の予防、硫黄酸化物や塵埃・悪臭等の体内への吸入を阻止する。又、鼻血止め用の鼻栓にも利用できる。【解決手段】  細く柔かい針金又は前記針金を高分子合成樹脂で被覆した、曲げ易く任意の形状に保持できる保持部材１の両端に突起を設け接着剤を塗布し、天然繊維、化学合成繊維若しくは天然繊維と化学合成繊維との複合繊維等でなるスライバーを柔かく巻き付け、鼻孔に挿入・装着し易い球状又は楕円球状のフィルター２に加工し、前記保持部材１を折り曲げ鼻中隔にフィットするＵ字型に形成する。【選択図】      図１
2005287630.tif 000002
【特許請求の範囲】
【請求項１】
細く柔かい針金又は前記針金を高分子合成樹脂で被覆した、曲げ易く任意の形状に保持できる保持部材の両端に突起を設け接着剤を塗布し、天然繊維、化学合成繊維若しくは天然繊維と化学合成繊維との複合繊維等でなるスライバーを柔かく巻き付け、鼻孔に挿入・装着し易い球状又は楕円球状のフィルターに加工し、前記保持部材を折り曲げ、鼻孔に挿入し易く、鼻中隔にフィットするＵ字型に形成してなる鼻フィルター。
【請求項２】
前記、鼻孔に挿入・装着し易い球状又は楕円球状に加工した天然繊維、化学合成繊維若しくは天然繊維と化学合成繊維との複合繊維等のスライバーでなるフィルターの鼻孔壁及び鼻中隔に接する部分に潤活剤を塗布してなる請求項１記載の鼻フィルター。
【請求項３】
前記、鼻孔に挿入・装着し易い球状又は楕円球状に加工した天然繊維、化学合成繊維若しくは天然繊維と化学合成繊維との複合繊維等のスライバーでなるフィルターに活性炭を添加してなる請求項１又は２記載の鼻フィルター。
【請求項４】
前記、鼻孔に挿入・装着し易い球状又は楕円球状に加工した天然繊維、化学合成繊維若しくは天然繊維と化学合成繊維との複合繊維等のスライバーでなるフィルターに香りを添加してなる請求項１又は２記載の鼻フィルター。
【請求項５】
前記、鼻孔に挿入・装着し易い球状又は楕円球状に加工した天然繊維、化学合成繊維若しくは天然繊維と化学合成繊維との複合繊維等のスライバーでなるフィルターに医薬品を施してなる請求項１又は２記載の鼻フィルター。
【発明の詳細な説明】
【技術分野】
【０００１】
本発明はインフルエンザ及び花粉症等を予防するための鼻フィルターに関する。
【背景技術】
【０００２】
鼻専用フィルターは、これまで出願番号実願平４‐７９６６６，実開平６‐３１７５７，実用新案登録第３０２４５３６号，同第３０８７０７０号，特開平１１‐３４２２１４，特開２００２‐１４８３１６（Ｐ２００２‐１４８３１６）及び特開２００２‐３４５９８６（Ｐ２００２‐４５９８６Ａ）等数多く出願されているが、いずれも不織布・ガーゼ・スポンジ等のフィルターとプラスチック・ゴム等の保持部材とを組み合わせたもので、装着によって鼻フィルター自体（フィルター及び保持部材）鼻孔及び鼻中隔に合致した形状になることがなく、従ってどのような形状の鼻孔及び鼻中隔（各人形状が異なる）にでも対応できるものはみられなかった。
【発明の開示】
【発明が解決しようとする課題】
【０００３】
そこで上記の課題を解決するため、フィルター部分にどのような形状の鼻孔にも順応する柔かく球状又は楕円球状に丸めた、天然繊維、化学合成繊維若しくは天然繊維と化学合成繊維との複合繊維等でなるスライバーを用い、使用する人の鼻孔の形状や装着する鼻孔の位置が異なっても問題なく（鼻孔の形状は入口から奥まで同一ではない）又、保持部材には如何なる形状の鼻中隔にもＵ字型部分を指先で軽く摘むとフィットする細く柔かい針金又は高分子合成樹脂で被覆した針金を使用し、鼻フィルターの装着が不完全だったり、鼻フィルターがズリ落ちたりせず、鼻フィルターがクシャミで外へ飛び出すこともなく、更に従来になかった鼻血止の鼻栓としても利用できる。
【課題を解決するための手段】
【０００４】
本発明は上記の課題を解決する手段として、細く柔かい針金又は前記針金を高分子合成樹脂で被覆した曲げ易く任意の形状に保持できる保持部材の両端に突起を設け接着剤を塗布し、天然繊維、化学合成繊維若しくは天然繊維と化学合成繊維との複合繊維等でなるスライバーを柔かく巻き付け、鼻孔に挿入・装着し易い球状又は楕円球状のフィルターに加工し、前記保持部材を折り曲げ鼻中隔にフィットするＵ字型に形成してなる。
【０００５】
又、前記鼻孔に挿入・装着し易い球状又は楕円球状に加工した天然繊維、化学合成繊維若しくは天然繊維と化学合成繊維との複合繊維等のスライバーでなるフィルターの鼻孔壁又は鼻中隔に接する部分に潤活剤を塗布することができる。
【０００６】
又、前記鼻孔に挿入・装着し易い球状又は楕円球状に加工した天然繊維、化学合成繊維若しくは天然繊維と化学合成繊維との複合繊維等のスライバーでなるフィルターに活性炭を添加することができる。
【０００７】
又、前記鼻孔に挿入・装着し易い球状又は楕円球状に加工した天然繊維、化学合成繊維若しくは天然繊維と化学合成繊維との複合繊維等のスライバーでなるフィルターに香りを添加することができる。
【０００８】
更に前記鼻孔に挿入・装着し易い球状又は楕円球状に加工した天然繊維、化学合成繊維若しくは天然繊維と化学合成繊維との複合繊維等のスライバーでなるフィルターに医薬品を施すこともできる。
【発明の効果】
【０００９】
前述の通り本発明による鼻フィルターは、従来の鼻フィルターと異なり装着すると各人各様千差万別の形状の鼻孔及び鼻中隔に順応してフィルター及び保持部材とも形状が変わり、フィットするので効率よくフィルターの役目を果し、又柔かい球状なので空気の通りがよく呼吸しやすく、現在市販されているマスクと異なり、装着したまま食事・洗面・入浴等ができる。そして会話にも支障がない。
【発明を実施するための最良の形態】
【００１０】
以下、本発明の鼻フィルターの実施の形態を添付図面を参照しながら詳細に説明する。
【実施例１】
【００１１】
図１及び図２は本発明における第１の実施の形態を示すものであり、図１に示すように焼鈍して柔かくし指先で押しただけで軽く曲がり任意の形状に保持できる、目立たない肌色に着色したアルミ線（直径は０.６ｍｍ〜１.２ｍｍ程度）でなる保持部材１の両先端に球状の突起を設け接着剤を塗布し、天然コットン１００％のスライバーを柔かく巻き付けて球状又は楕円球状に加工し、前記保持部材１を折り曲げＵ字型に形成したものであり、従って鼻フィルターの着脱は極めて容易で、挿入した球状又は楕円球状のフィルター２は鼻孔に合致した形状になり、又、保持部材１は親指と人差指の先で軽く摘むだけで鼻中隔にフィットして確り固定し（図２参照）、ズレ落ちたり、クシャミで外へ飛び出すこともない。前記アルミ線の代わりに焼鈍して柔かくした鉄線又は銅線を用いてもよく、各々前記アルミ線・鉄線及び銅線をビニールで被覆したものを使用してもよい。又、接着剤は有害物質を含む合成高分子物質系接着剤を除く、酢酸ビニール等の無害合成高分子物質系接着剤及びロジン添加のゴム系接着剤等の植物性系の天然物質系接着剤を使用する。ビニールの被覆を反対に目立つゴールドやシルバーにするとＵ字型保持部材の下部が装飾品の鼻ピアスにもなる。尚、突起はフィルターが保持部材の先端から抜けにくくし、且保持部材の先端が万が一にも鼻孔に刺さるようなことがないよう配慮して設けたものである。
【実施例２】
【００１２】
請求項２は、本発明における第２の実施の形態を示すものであり、請求項１における鼻フィルターで、鼻孔に挿入・装着し易い球状又は楕円球状に加工した天然コットン１００％のスライバーでなるフィルター２の鼻孔壁に接する部分にグリセリン等の潤活剤を塗り付け、フィルター２の挿入をよりスムーズにし、又、鼻孔壁を傷つけないように配慮したものである。尚、潤活剤又はフィルターにメンソールを混入すると鼻の通りがよくなる。（図面は省略）
【実施例３】
【００１３】
請求項３は、本発明における第３の実施の形態を示すものであり、請求項１又は請求項２における鼻フィルターで、鼻孔に挿入・装着し易い球状又は楕円球状に加工した半合成繊維であるレーヨン１００％のスライバーでなるフィルター２に備長炭（活性炭）を粉末にして練り込んだものであり、ろ過力に秀れ硫黄酸化物の有害物質及び塵埃・悪臭等の体内への吸入を阻止するのに効果がある。尚、備長炭（活性炭）を練り込んだフィルター２は色が黒色で鼻孔に浅く挿入してもフィルター２の装着が判別しにくい。（図面は省略）
【実施例４】
【００１４】
請求項４は、本発明における第４の実施の形態を示すものであり、請求項１又は請求項２における鼻フィルターで、鼻孔に挿入・装着し易い球状又は楕円球状に加工した天然コットン１００％のスライバーでなるフィルター２に花やハーブの香り（エキス）を添加したものであり、呼吸することで体を癒し、心に潤いを与え、体内に活力が生ずる。（図面は省略）
【実施例５】
【００１５】
請求項５は、本発明における第５の実施の形態を示すものであり、請求項１又は請求項２における鼻フィルターで、鼻孔に挿入・装着し易い球状又は楕円球状に加工した天然コットン１００％のスライバーでなるフィルター２の中に粉末状又は粒状にした医薬品を施したものであり、口腔や呼吸器系症病の治療に役立つ。尚、請求項１、請求項２、請求項４及び請求項５には化学合成繊維及び天然繊維と化学合成繊維の複合繊維のスライバーを使用してもよいが、なるべく天然繊維のスライバーを用いたほうが無難である。（図面は省略）
【産業上の利用可能性】
【００１６】
製造原価が安く、そっくり使い捨てが可能で、インフルエンザ及び花粉症を予防し、グリセリン等潤活剤を塗った鼻フィルターは挿入・装着が容易で、鼻孔内を傷つけることもなく、活性炭添加の鼻フィルターは硫黄酸化物・ダイオキシン・塵埃・悪臭等有害物質の除去に有効で、香りを添加した鼻フィルターは体を癒し心に潤いを与え、又医薬品を施した鼻フィルターは口腔及び呼吸器系疾患の治療に役立ち、鼻血止め用の鼻栓にも利用でき産業上の利用可能性は極めて大きい。
【図面の簡単な説明】
【００１７】
【図１】本発明における第１実施の形態を示す斜視図。
【図２】図１の鼻フィルターを鼻孔に装着した状態を示す正面図。
【符号の説明】
【００１８】
１  保持部材，２  フィルター。
【図１】
2005287630.tif 000003
【図２】
2005287630.tif 000004